(57)【要約】      （修正有）【課題】ローリング運動の減揺を効果的に行い、船体が上下動の共振を起こすような波浪航行における乗り心地を良好に改善するトリマラン船を提供する。【解決手段】揺動アーム１４によりセンタハルの左右両側に回転可能に支持されたサイドハル１２をセンタハルに対して上下方向に移動可能に設け、センタハルに対するサイドハル１４の上下方向運動に減衰力を与えるコイルばね２４および粘性ダンバ２６により構成された減衰装置を設ける。【選択図】図２
2012096774.tif 000002
【特許請求の範囲】
【請求項１】
センタハルと、
前記センタハルの左右両側に配置され、前記センタハルに対して上下方向に移動可能に接続された左右のサイドハルと、
前記センタハルと前記サイドハルとの間に設けられ、前記センタハルに対する前記サイドハルの上下方向運動に減衰力を与える減衰装置と、
を有するトリマラン船。
【請求項２】
前記減衰装置は、ばねダンパと粘性ダンパの少なくとも何れか一方を含む請求項１に記載のトリマラン船。
【請求項３】
前記減衰装置は、発電機を含む請求項１に記載のトリマラン船。
【請求項４】
前記減衰装置は、アクティブダンパを含む請求項１に記載のトリマラン船。
【請求項５】
前記アクティブダンパは、前記センタハルに対して前記サイドハルを上下方向に駆動するアクチュエータと、前記センタハルの船体姿勢を検知する船体姿勢検知装置と、船体姿勢検知装置により検知される船体姿勢に基づいて前記アクチュエータを制御するアクチュエータ制御装置とを含んでいる請求項４に記載のトリマラン船。
【請求項６】
前記サイドハルは、揺動アームによって前記センタハルより揺動可能に支持され、円弧軌跡を描いて上下方向に移動する請求項１から５の何れか一項に記載のトリマラン船。
【発明の詳細な説明】
【技術分野】
【０００１】
本発明は、トリマラン船に関し、特に、減揺機能を備えたトリマラン船に関する。
【背景技術】
【０００２】
センタハルと、センタハルの左右両側に配置された左右のサイドハルとを有するトリマラン船（三胴船）において、左右のサイドハルの各々に、当該サイドハルの上下方向中間部に上向きの段差面を形成する段差部が設けられものがある。このトリマラン船では、船体の横揺れによって降下する側のサイドハルの段差面が水中に沈むことにより、サイドハルが水中に沈む体積が増加し、浮力増加によって急速に浮き上がろうとする運動に対して、水圧による抵抗力が生じ、横揺れ時には、このことが左右のサイドハルで交互に生じることにより、横揺れ、つまりローリング運動を抑制する作用が得られる（例えば、特許文献１）。
【０００３】
また、ローリング運動に対する減揺装置を備えたトリマラン船として、トリマラン船の左右のサイドハルの左右方向外側に、引き揚げ可能な可動のトリムタブが設けられ、横揺れ時には、トリムタブを展開し、横揺れによって接水したトリムタブが水面を押すようになる時の反力によって横揺れを抑制するものが知られている（例えば、特許文献１）。
【先行技術文献】
【特許文献】
【０００４】
【特許文献１】特開２００８−２７９８１８号公報
【特許文献２】特開２００９−２６２５８８号公報
【発明の概要】
【発明が解決しようとする課題】
【０００５】
しかしながら、従来のトリマラン船におけるローリング運動の減揺は、何れも、波による揺れを、抵抗力、反力によって単に抑えものであるので、船体の横揺れや上下揺れの共振時の極大値を小さくする作用がなく、船体が横揺れ（ローリング運動）や上下揺れ（ヒービング運動）の共振を起こすような波浪時の航行における乗り心地を改善することができない。
【０００６】
本発明が解決しようとする課題は、トリマラン船において、船体が横揺れや上下揺れの共振を起こすような波浪航行における乗り心地を良好に改善することである。
【課題を解決するための手段】
【０００７】
本発明によるトリマラン船は、センタハルと、前記センタハルの左右両側に配置され、前記センタハルに対して上下方向に移動可能に接続された左右のサイドハルと、前記センタハルと前記サイドハルとの間に設けられ、前記センタハルに対する前記サイドハルの上下方向運動に減衰力を与える減衰装置とを有する。
【０００８】
この構成によれば、上下方向に移動可能に設けられたサイドハルのセンタハルに対する上下方向運動に対して減衰装置が減衰力を与える。船体の横揺れ時や上下揺れ時には、サイドハルがセンタハルに対して上下方向運動するので、船体の横揺れや上下揺れに減衰作用が作用し、特に、船体が横揺れや上下揺れの共振を起こすような波浪時の航行時の船体の横揺れ、上下揺れの減揺が効果的に行われる。
【０００９】
本発明によるトリマラン船に組み込まれる減衰装置として好適なものとして、ばねダンパと粘性ダンパの少なくとも何れか一方を含むもの、発電機を含むものがある。
【００１０】
減衰装置がばねダンパや粘性ダンパを含んでいるものであれば、船体の横揺れ、上下揺れに伴うサイドハルの上下動の運動エネルギが熱エネルギに変換されて船体の横揺れ、上下揺れの減衰が行われる。減衰装置が発電機を含むものであれば、船体の横揺れ、上下揺れに伴うサイドハルの上下動の運動エネルギが電気エネルギに変換されて船体の横揺れ、上下揺れの減衰が行われ、併せて波エネルギによる発電が行われ、船舶航行のエネルギ経済性が向上する。
【００１１】
本発明によるトリマラン船に組み込まれる減衰装置は、アクティブダンパを含むものであってもよい。この場合、アクティブダンパは、前記センタハルに対して前記サイドハルを上下方向に駆動するアクチュエータと、前記センタハルと前記サイドハルの少なくとも何れか一方の船体姿勢を検知する船体姿勢検知装置と、船体姿勢検知装置により検知される船体姿勢に基づいて前記アクチュエータを制御するアクチュエータ制御装置とを含んでいるものがある。
【００１２】
アクティブダンパの場合には、センタハルとサイドハルの少なくとも何れか一方の船体姿勢に応じてサイドハルが横揺れや上下揺れを減衰する方向にアクティブ制御されることにより、船体の共振時の横揺れや上下揺れの極大値を減少させることができ、船体が共振を起こすような波浪時の航行における横揺れ、上下揺れの減揺が効果的に行われる。
【００１３】
本発明によるトリマラン船は、好ましくは、前記サイドハルは、揺動アームによって前記センタハルより揺動可能に支持され、円弧軌跡を描いて上下方向に移動するものであってよく、サイドハルの上下動可能な支持構造を簡単な軸受構造で構成することができる。
【発明の効果】
【００１４】
本発明によるトリマラン船によれば、上下方向に移動可能に設けられたサイドハルのセンタハルに対する上下方向運動に対して減衰装置が減衰力を与えることにより、船体の横揺れや上下揺れに減衰作用が作用し、特に、共振時の上下揺れの極大値を減少させることができ、船体が横揺れや上下揺れの共振を起こすような波浪時の航行時の船体の横揺れや上下揺れの減揺が効果的に行われる。これにより、船体が横揺れや上下揺れの共振を起こすような波浪時の航行における横揺れや上下揺れの減揺が効果的に行われ、乗り心地を大幅に改善することができる。
【図面の簡単な説明】
【００１５】
【図１】本発明によるトリマラン船の一つの実施例を示す斜視図（船底側より見上げた斜視図）。
【図２】本実施例によるトリマラン船の減揺機構の要部を示す斜視図。
【図３】（Ａ）は、本実施形態によるトリマラン船が向かい波を受けて航行する場合の上下揺れを、（Ｂ）は固定のサイドハルを有する従来型のトリマラン船が向かい波を受けて航行する場合の上下揺れを各々模式的に示す説明図。
【図４】上下揺れの計算モデル図。
【図５】上下揺れの共振特性を示すグラフ。
【図６】本発明によるトリマラン船の他の実施例によるトリマラン船の減揺機構の要部を示す斜視図。
【図７】実施例によるトリマラン船の減揺機構の制御系を示すブロック図。
【発明を実施するための形態】
【００１６】
以下に、本発明によるトリマラン船の一つの実施例を、図１、図２を参照して説明する。
【００１７】
本実施例によるトリマラン船は、浮力体構造のセンタハル（メインハル）１０と、センタハル１０の左右両側に各々配置された左右のサイドハル（デミハル）１２とを有する。
【００１８】
左右のサイドハル１２は、中空構造による個別の浮力体であり、前後方向（船首船尾方向）に長く、尖った船首を有する船体形状をしている。左右のサイドハル１２には、各々、前後方向の中間部より左右方向に、換言すると、センタハル１０の側に所定のアーム長をもって延在する揺動アーム１４を一体形成されている。
【００１９】
揺動アーム１４の先端部１４Ａは、図２に示されているように、センタハル１０の左右側部に開口１１（図１参照）よりセンタハル１０内に進入しており、先端部１４Ａには前後方向に延在する支持軸１６が固定されている。支持軸１６は、センタハル１０内においてセンタハル１０に固定配置された軸受部材１８に、自身の中心軸線周りに回転可能に支持されている。
【００２０】
これにより、左右のサイドハル１２は、揺動アーム１４によってセンタハル１０より各々個別に所定の回転角範囲に亘って揺動可能に支持され、各々、支持軸１６を中心として円弧軌跡を描いて上下方向に個別に移動可能になっている。
【００２１】
支持軸１６には減衰作用アーム１９の基端部が固定連結されている。減衰作用アーム１９の先端部には連結ピン２０が取り付けられている。連結ピン２０には、各々、一端をセンタハル１０に取り付けられた取付ピン２２に連結されたコイルばね２４とシリンダ・ピストン構造の粘性ダンバ２６の他端が連結されている。
【００２２】
コイルばね２４と粘性ダンバ２６とコイルばね２６とは、センタハル１０内に並列に配置されている。コイルばね２６は、ばねダンパを構成するものであり、サイドハル１２がセンタハル１０に対して上下方向の中間位置、つまり、上下方向の中立位置にある状態で無荷重状態になり、サイドハル１２が中立位置により上方へ変位すると、引張ばね荷重を生じ、これとは反対に、サイドハル１２が中立位置により下方へ変位すると、圧縮ばね荷重を生じる。粘性ダンバ２６は、シリンダチューブ内に粘性流体を封入されて粘性減衰能を有する一般的な複動式の粘性ダンバである。
【００２３】
なお、センタハル１０は、左右のサイドハル１２の上方に張り出した左右の翼状部１３を有する。翼状部１３はセンタハル１０の甲板面積を拡張する。
【００２４】
サイドハル１２は、静水航行時には、浮力によって中立位置にあって、無荷重状態にあるコイルばね２６のばね力によって支えられ、センタハル１０に対して上下方向に運動しない。
【００２５】
波浪時航行時に、トリマラン船が横波を受け、センタハル１０が横揺れ（ローリング）すると、左右のサイドハル１２が水面に対して互いに逆相で上下に変位する。この変位によって水中に進入する深さを増す側のサイドハル１２は、コイルばね２４と粘性ダンバ２６による減衰作用のもとに、支持軸１６を回動中心としてセンタハル１０に対して回動変位（上昇変位）しつつ水中に沈む体積を増加する。このサイドハル１２は、水中に沈んだ体積の増加によって浮力を増することにより、浮き上がろうとする。
【００２６】
この浮き上がろうとするサイドハル１２は、コイルばね２４と粘性ダンバ２６による減衰作用のもとに、支持軸１６を回動中心としてセンタハル１０に対して回動変位（降下変位）しつつ浮上方向に移動する。
【００２７】
これに対し、水中に進入する深さを減らす反対側のサイドハル１２は、コイルばね２４と粘性ダンバ２６による減衰作用のもとに、支持軸１６を回動中心としてセンタハル１０に対して回動変位（降下変位）しつつ水中に沈む体積を減少する。このサイドハル１２は、水中に沈んだ体積の減少によって浮力を減らすことにより、沈もうとする。
【００２８】
この沈もうとするサイドハル１２は、コイルばね２４と粘性ダンバ２６による減衰作用のもとに、支持軸１６を回動中心としてセンタハル１０に対して回動変位（上昇変位）しつつ沈下方向に移動する。
【００２９】
このようにして、センタハル１０の横揺れによって左右のサイドハル１２が、センタハル１０に対して互いに逆相で、上下方向に運動することにより、コイルばね２４と粘性ダンバ２６とによって減衰力が与えられ、この動作が横揺れの周期に応じて左右のサイドハル１２で交互に生じる。これにより、コイルばね２４、粘性ダンバ２６を接続された左右のサイドハル１２が各々動吸振器として作用し、センタハル１０の横揺れの運動エネルギが、コイルばね２４と粘性ダンバ２６によって熱エネルギに変換される。
【００３０】
この結果、センタハル１０の横揺れが抑えられ、船体（センタハル１０）の横揺れの共振時の極大値が減少する。これにより、船体が横揺れの共振を起こすような波浪時の航行における横揺れの減揺が効果的に行われ、トリマラン船の乗り心地が大幅に改善されることになる。
【００３１】
なお、この作用は、必ずしも、ばねダンパをなすコイルばね２４と粘性ダンバ２６の双方を必要とすることはなく、コイルばね２４と粘性ダンバ２６の何れか一方のみであって同等に得ることができる。
【００３２】
トリマラン船が向かい波を受け、センタハル１０が上下揺れ（ヒービング）する場合には、左右のサイドハル１２が水面に対して互いに同相で上下に変位し、この変位に応じてコイルばね２４と粘性ダンバ２６とによって減衰力が与えられ、この動作が上下揺れの周期に応じて左右のサイドハル１２で互いに同期に生じる。これにより、コイルばね２４、粘性ダンバ２６を接続された左右のサイドハル１２が各々動吸振器として作用し、センタハル１０の上下揺れの運動エネルギが、コイルばね２４と粘性ダンバ２６によって熱エネルギに変換される。
【００３３】
この結果、センタハル１０の上下揺れが抑えられ、船体（センタハル１０）の上下揺れの共振時の極大値が減少する。これにより、船体が上下揺れの共振を起こすような波浪時の航行における上下揺れの減揺が効果的に行われ、トリマラン船の乗り心地が大幅に改善されることになる。
【００３４】
図３（Ａ）は、上述の実施形態によるトリマラン船が向かい波を受けて航行する場合の上下揺れを、図３（Ｂ）は固定のサイドハルを有する従来型のトリマラン船が向かい波を受けて航行する場合の上下揺れを各々模式的に示している。
【００３５】
図３（Ａ）、（Ｂ）から分かるように、本実施形態によるトリマラン船は、コイルばね２４、粘性ダンバ２６を接続されたサイドハル１２が、向かい波によって上下動し、動吸振器として作用することにより、向かい波航行時におけるトリマラン船の上下揺れ幅Ｈａが、固定のサイドハルを有する従来型のトリマラン船の上下揺れ幅Ｈｂより大幅に小さくなっていることが分かる。
【００３６】
上述の実施形態のように、コイルばね２４、粘性ダンバ２６を接続されたサイドハル１２が、トリマラン船の上下揺れに対して動吸振器として作用することを、図４に示されているような計算モデルによって検証した。この検証の解析条件は、以下の通りである。
【００３７】
毎ｃｍにつき毎ｃｍ排水トンＴｃｍ（ｔ）で、釣り合いにより浮力が増加するから、センタハル１０、サイドハル１２は、各々、伸び１ｃｍにつきＴｃｍ（ｔ）の張力を生じる水によるばねＫｃ、Ｋｓによって吊り下げられている場合と等価の上下振動を行う。この水によるばるのばね定数κは下式により表される。
【００３８】
κ＝Ｔｃｍ（ｔ／ｃｍ）
船舶の上下動（上下揺れ）周期Ｔｈは、下式により示されるものとした。
Ｔｈ＝２π√（Ｗ／κ・ｇ）＝２π√（Ｗ／Ｔｃｍ・ｇ）  （但し、ｇ：ｃｍ単位）
＝２π√（Ｗ／（Ａｗ／１００）γ・ｇ）  （但し、ｇ：ｃｍ単位）
＝２π√（Ｗ／Ａｗ・γ・ｇ）  （但し、ｇ：ｍ単位）
＝２π√（Ｃｖｐ・ｄ／ｇ）
但し、Ｗ：船の排水量（ｔ）
Ｔｃｍ：毎ｃｍの排水トン数（ｔ／ｃｍ）
Ａｗ：水線面積（ｍ２）
γ：海水の単位面積質量（ｔ／ｍ３）
Ｃｖｐ：堅柱形肥せき係数（鉛直柱形係数）
ｄ：喫水（ｍ）
【００３９】
図５は、計算結果を示すグラフであり、縦軸が振幅比（Ｘ／Ｘｓｔ）を、横軸が振動数比λである。実線は、コイルばね２４、粘性ダンバ２６を接続されたサイドハル１２を有するトリマラン船の上下振動特性を、波線が同じトリマラン船でサイドハル１２を固定した場合の上下振動特性を各々示している。
【００４０】
このグラフから、サイドハル１２を固定した場合には、共振周波数領域で、振幅比（Ｘ／Ｘｓｔ）が発散増大するが、コイルばね２４、粘性ダンバ２６を接続されたサイドハル１２を有するトリマラン船では、共振周波数領域での振幅比（Ｘ／Ｘｓｔ）が小さくなり、コイルばね２４、粘性ダンバ２６を接続されたサイドハル１２が動吸振器として有効に作用している事が分かった。
以上のことにより、動吸振器のばね、ダンバの最適化により、非定常や共振周波数海面の大幅な揺れに対して航行速度が速くなった時に船首における造波抵抗の大幅な低減が可能になる。
【００４１】
なお、波エネルギを電気エネルギとして回収するために、サイドハル１２の支持軸１６に発電機２８が連結されていてもよい。
【００４２】
つぎに、本発明によるトリマラン船の他の実施例を、図６を参照して説明する。なお、図６において、図２に対応する部分は、図２に付した符号と同一の符号を付けて、その説明を省略する。
【００４３】
この実施例では、支持軸１６にセクタギヤ３０が固定されている。セクタギヤ３０には発電機３２のロータ軸３４に固定されたピニオン３６が噛合している。なお、発電機３２は、正逆、何れの回転でも発電を行うものであり、図には示されていないが、センタハル１０に固定配置される。
【００４４】
この実施例では、波浪時航行時に、横波によってセンタハル１０が横揺れすると、左右のサイドハル１２が水面に対して上下方向に変位する。この変位によって水中に進入する深さを増す側のサイドハル１２は、支持軸１６を回動中心としてセンタハル１０に対して回動変位（上昇変位）して発電機３２のロータ軸３４を回転させつつ水中に沈む体積を増加する。このサイドハル１２は、水中に沈んだ体積の増加によって浮力を増することにより、浮き上がろうとする。
【００４５】
この浮き上がろうとするサイドハル１２は、支持軸１６を回動中心としてセンタハル１０に対して回動変位（降下変位）して発電機３２のロータ軸３４を回転させつつ浮上方向に移動する。
【００４６】
これに対し、水中に進入する深さを減らす反対側のサイドハル１２は、支持軸１６を回動中心としてセンタハル１０に対して回動変位（降下変位）して発電機３２のロータ軸３４を回転させつつ水中に沈む体積を減少する。このサイドハル１２は、水中に沈んだ体積の減少によって浮力を減らすことにより、沈もうとする。
【００４７】
この沈もうとするサイドハル１２は、支持軸１６を回動中心としてセンタハル１０に対して回動変位（上昇変位）して発電機３２のロータ軸３４を回転させつつ沈下方向に移動する。
【００４８】
このようにして、センタハル１０の横揺れによってサイドハル１２がセンタハル１０に対し上下方向に運動することにより、ロータ軸３４が回転して発電機３２が発電を行い、この動作が横揺れの周期に応じて左右のサイドハル１２で交互に生じる。これにより、波エネルギによる発電が行われ、横揺れの運動エネルギが、発電機３２によって電気エネルギに変換される。
【００４９】
この結果、メインハル１０の横揺れが抑制され、船体の横揺れによる共振時の上下動の極大値が減少する。これにより、メインハル１０が横揺れによって共振を起こすような波浪時の航行における横揺れの減揺が効果的に行われ、乗り心地が大幅に改善されることになる。なお、発電機３２によって発電された電力は、船舶搭載のバッテリーに充電されればよく、船舶航行におけるエネルギ経済性の向上に寄与する。
【００５０】
上述の作用は、向かい波によって船体が上下揺れする場合も同様に得られ、上下揺れの減揺と、発電機３２による波エネルギを電気エネルギとして回収することとが行われる。
【００５１】
他の実施例として、発電機３２に代えて、回転駆動と発電とを行うことができる回転電機であるモータ・ジェネレータ４０（図７参照）が用いられてもよい。
【００５２】
モータ・ジェネレータ４０が発電作用を行うジェネレータ動作モードでは、上述の実施例と同じように、横揺れの運動エネルギが発電機３２によって電気エネルギに変換され、メインハル１０のローリング運動が抑制される。
【００５３】
モータ・ジェネレータ４０が回転駆動作用を行うモータ動作モードでは、モータ・ジェネレータ４０によるサイドハル１２の上下方向の駆動によってアクティブダンパが具現される。
【００５４】
このアクティブダンパによる減揺機構の制御系の一つの実施例を、図７を参照して説明する。モータ・ジェネレータ４０のモータ動作モードとジェネレータ動作モードとの動作モード切替と、各動作モードの制御を行うモータ・ジェネレータ制御器４２が設けられている。モータ・ジェネレータ制御器４２は、モータ・ジェネレータ４０のドライブ回路を含むものであって、インバータ４４を介して船舶搭載のバッテリ４６に接続されている。なお、モータ・ジェネレータ４０、回転・位相センサ５２、モータ・ジェネレータ制御器４２、インバータ４４は、左右のサイドハル１２毎に個別に設けられる。
【００５５】
モータ・ジェネレータ４０は、モータ動作モードではバッテリ４６より電力を供給され、ジェネレータ動作モードではバッテリ４６に電力を供給し、充電を行う。
【００５６】
モータ・ジェネレータ制御器４２とインバータ４４は、各々マイクロコンピュータを含む電子制御ユニット（ＥＣＵ）４８が出力する指令によって動作する。電子制御ユニット４８には、船体姿勢センサ５０と、回転・位相センサ５２とが接続されている。
【００５７】
船体姿勢センサ５０は、船体姿勢検知装置であり、センタハル１０の姿勢、特に、傾斜センサ等により構成されてローリング運動によるセンタハル１０の水平面に対する横傾き角を検知する。回転・位相センサ５２は、モータ・ジェネレータ４０に直結されたロータリエンコーダ等により構成され、モータ・ジェネレータ４０の回転軸の回転角を検知する。
【００５８】
電子制御ユニット４８は、モータ動作モードでは、船体姿勢センサ５０より入力したセンサ信号によってセンタハル１０の水平面に対する横傾き角と横傾きの加速度、方向を算出し、これらの制御因子として予め定められたアクティブダンパの制御則に従ってモータ・ジェネレータ４０の制御目標値を演算する。そして、電子制御ユニット４８は、左右の回転・位相センサ５２より入力したセンサ信号により得られる左右のモータ・ジェネレータ４０の回転角をフィードバック値として算出した偏差より左右のモータ・ジェネレータ４０の操作量を演算し、当該操作量を左右のモータ・ジェネレータ制御器４２に渡す。
【００５９】
これにより、左右のサイドハル１２が左右のモータ・ジェネレータ４０によってアクティブダンパ制御則の従ってセンタハル１０に対して上下移動する。これにより、アクティブダンパ作用が得られ、メインハル１０のローリング運動を抑制することができる。
【００６０】
図４に示されている実施例の変形実施例として、モータ・ジェネレータ４０は、モータ動作モードのみを行う電動モータであってもよく、また、アクティブダンパの駆動源であるアクチュエータは、電動モータに限られることはなく、油圧や空気圧による流体圧式のシリンダ装置等であってもよい。
【００６１】
なお、センタハル１０に対するサイドハル１２の上下移動可能な支持は、揺動アーム１４の回動可能な支持によるもの以外に、センタハル１０に固定されて上下方向に直線的に延在するガイド機構に案内されてサイドハル１２が上下移動する支持であってもよい。
【符号の説明】
【００６２】
１０  メインハル
１２  サイドハル
１４  揺動アーム
２４  コイルばね
２６  粘性ダンバ
３２  発電機
４０  モータ・ジェネレータ
【図１】
2012096774.tif 000003
【図２】
2012096774.tif 000004
【図３】
2012096774.tif 000005
【図４】
2012096774.tif 000006
【図５】
2012096774.tif 000007
【図６】
2012096774.tif 000008
【図７】
2012096774.tif 000009